(57)【要約】【課題】携帯端末における表示装置の自動回転機能の設定と解除を極めて容易に行う。【解決手段】画像表示制御装置１０は、携帯端末５０の表示装置５１に表示される表示画像の向きを制御する装置であって、ユーザが表示画像の閲覧を開始するために表示装置５１に接触した時間ｔを含む接触情報を取得する、接触情報取得部１１、接触時間ｔと、予め設定した所定時間Ｔとを比較する、比較部１２、及び比較部１２による比較の結果に基づいて表示装置５１内に表示される表示画像の向きを制御する、制御部１３を備える。【選択図】図６
2018160081.tif 000002
【特許請求の範囲】
【請求項１】
携帯端末の表示装置に表示される表示画像の向きを制御する装置であって、
ユーザが前記表示画像の閲覧を開始するために前記表示装置に接触した時間ｔを含む接触情報を取得する、接触情報取得部と、
前記接触時間ｔと、予め設定した所定時間Ｔとを比較する、比較部と、
前記比較結果に基づいて前記表示装置内に表示される表示画像の向きを制御する、制御部と
を備える、画像表示制御装置。
【請求項２】
前記制御部が、前記接触時間ｔが、前記所定時間Ｔより長い場合に、前記表示装置内に表示される表示画像の向きを所定方向に固定する、
請求項１に記載の画像表示制御装置。
【請求項３】
前記接触情報が、所定時間内の接触回数ｎを含み、
前記比較部が、前記接触回数ｎと、予め設定した所定回数Ｎとを比較する、
請求項１または２に記載の画像表示制御装置。
【請求項４】
携帯端末の表示装置に表示される表示画像の向きを制御する方法であって、
（１）ユーザが前記表示画像の閲覧を開始するために前記表示装置に接触した時間ｔを含む接触情報を取得する、ステップと、
（２）前記接触時間ｔと、予め設定した所定時間Ｔとを比較する、ステップと、
（３）前記比較結果に基づいて前記表示装置内に表示される表示画像の向きを制御する、ステップと
を備える、画像表示制御方法。
【請求項５】
前記ステップ（３）において、
前記接触時間ｔが、前記所定時間Ｔより長い場合に、前記表示装置内に表示される表示画像の向きを所定方向に固定する、
請求項４に記載の画像表示制御方法。
【請求項６】
前記ステップ（１）において、前記接触情報が、所定時間内の接触回数ｎを含み、
前記ステップ（２）において、前記接触回数ｎと、予め設定した所定回数Ｎとを比較する、
請求項４または５に記載の画像表示制御方法。
【請求項７】
携帯端末の表示装置に表示される表示画像の向きを制御するプログラムであって、
コンピュータに、
（１）ユーザが前記表示画像の閲覧を開始するために前記表示装置に接触した時間ｔを含む接触情報を取得する、ステップと、
（２）前記接触時間ｔと、予め設定した所定時間Ｔとを比較する、ステップと、
（３）前記比較結果に基づいて前記表示装置内に表示される表示画像の向きを制御する、ステップと
を実行させる、プログラム。
【請求項８】
前記ステップ（３）において、
前記接触時間ｔが、前記所定時間Ｔより長い場合に、前記表示装置内に表示される表示画像の向きを所定方向に固定する、
請求項７に記載のプログラム。
【請求項９】
前記ステップ（１）において、前記接触情報が、所定時間内の接触回数ｎを含み、
前記ステップ（２）において、前記接触回数ｎと、予め設定した所定回数Ｎとを比較する、
請求項７または８に記載のプログラム。
【発明の詳細な説明】
【技術分野】
【０００１】
本発明は、携帯端末の表示装置に表示される表示画像の向きを制御する画像表示制御装置、画像表示制御方法、及びプログラムに関する。
【背景技術】
【０００２】
スマートフォン、携帯電話、タブレット端末などの携帯端末においては、表示装置（ディスプレイ）に、動画、写真などの撮像や図面などの表示画像を表示させるに際して、内蔵する傾きセンサによって携帯端末の傾きを検知し、表示装置の向きに合わせて表示画像の向きを変更する機能（以下、「自動回転機能」という。）を有している。この自動回転機能は、例えば、図１に示すように、ユーザＵが携帯端末Ｔを持った状態で座っている場合や、立っている場合には有用である。すなわち、予め設定された表示画像の上下方向が、表示装置の上下方向と一致するため、図２に示すように、ユーザＵが携帯端末Ｔを横向き（表示装置の長手方向が水平、短手方向が鉛直）で持っている場合には、横長の撮像を表示装置の全画面に表示することができる。また、ユーザＵが携帯端末Ｔを縦向き（表示装置の長手方向が鉛直、短手方向が水平）で持っている場合には、縦長の撮像を表示装置の全画面に表示することができる。
【０００３】
ここで、携帯端末Ｔの表示装置において、ユーザＵが、表示装置の長手方向が水平方向より鉛直方向に近い方向である状態で携帯端末Ｔを持っている場合には、表示装置の長手方向が上下方向であり、表示装置の長手方向が鉛直方向より水平方向に近い方向である状態で携帯端末Ｔを持っている場合には、短手方向が上下方向である。そして、表示装置が縦向き（つまり、長手方向が上下方向）の場合には、縦長の表示画像（つまり、長手方向が上下方向である表示画像）は全画面に表示できるが、横長の表示画像（つまり、短手方向が上下方向である表示画像）は全画面に表示できない。また、表示装置が横向き（つまり、短手方向が上下方向）の場合には、横長の表示画像（つまり、短手方向が上下方向である表示画像）は全画面に表示できるが、縦長の表示画像（つまり、長手方向が上下方向である表示画像）は全画面に表示できない。
【０００４】
そして、図３に示すように、ユーザＵが携帯端末Ｔを持った状態で横になっている場合には、ユーザＵにとっての上下方向は水平方向である。これに対して、自動回転機能を設定している場合には、携帯端末Ｔの表示装置の上下方向は鉛直方向であると認識され、表示装置の長手方向が上下方向となるので、表示装置に横長の表示画像（つまり、短手方向が上下方向である表示画像）などを表示させたいときには、図４のように、表示画像を表示装置の全画面に表示することができなくなる。
【０００５】
このとき、自動回転機能を解除すればよいが、この機能の設定と解除を繰り返す必要がある場合には、その作業をできる限り簡単にしたいという要求がある。
【０００６】
例えば、特許文献１は、表示画像の向きを、表示装置の向きと使用者の顔の姿勢（傾き）に応じて自動的に回転させる機能を備えた端末装置に関する発明が開示されている。
【０００７】
また、特許文献２には、表示装置に触れている時間に応じて画像の基準方向を表示装置に表示する発明が開示されている。
【先行技術文献】
【特許文献】
【０００８】
【特許文献１】特許第５７９９１７９号公報
【特許文献２】特開２０１３−６９２９７号公報
【発明の概要】
【発明が解決しようとする課題】
【０００９】
特許文献１に記載の発明の場合、図３に示すようにユーザＵが横向き状態で使用している場合、使用者Ｕの顔が一番傾いていない状態で端末Ｔに写るのは図４のような縦向き状態であり、撮像を表示装置の全画面に表示することができなくなる。
【００１０】
特許文献２に記載の発明の場合、表示装置に触れている時間に応じて画像の基準方向を表示装置に表示する点で、自動回転機能の設定と解除を容易に行える。しかし、ユーザが表示画像の閲覧を開始するためには、ディスプレイを触るが、その動作によって上記機能の設定と解除を行えるようにすれば、極めて有用である。
【００１１】
本発明は、このような従来技術の問題を解決するべくなされたものであり、自動回転機能の設定と解除を極めて容易に行うことが可能な、画像表示制御装置、画像表示制御方法、及びプログラムを提供することを目的としている。
【課題を解決するための手段】
【００１２】
上記目的を達成するため、本発明の一側面における画像表示制御装置は、
携帯端末の表示装置に表示される表示画像の向きを制御する装置であって、
ユーザが前記表示画像の閲覧を開始するために前記表示装置に接触した時間ｔを含む接触情報を取得する、接触情報取得部と、
前記接触時間ｔと、予め設定した所定時間Ｔとを比較する、比較部と、
前記比較結果に基づいて前記表示装置内に表示される表示画像の向きを制御する、制御部と
を備える。
【００１３】
また、上記目的を達成するため、本発明の一側面における画像表示制御方法は、
（１）ユーザが前記表示画像の閲覧を開始するために前記表示装置に接触した時間ｔを含む接触情報を取得する、ステップと、
（２）前記接触時間ｔと、予め設定した所定時間Ｔとを比較する、ステップと、
（３）前記比較結果に基づいて前記表示装置内に表示される表示画像の向きを制御する、ステップと
を備える。
【００１４】
更に、上記目的を達成するため、本発明の一側面におけるプログラムは、
携帯端末の表示装置に表示される表示画像の向きを制御するプログラムであって、
コンピュータに、
（１）ユーザが前記表示画像の閲覧を開始するために前記表示装置に接触した時間ｔを含む接触情報を取得する、ステップと、
（２）前記接触時間ｔと、予め設定した所定時間Ｔとを比較する、ステップと、
（３）前記比較結果に基づいて前記表示装置内に表示される表示画像の向きを制御する、ステップと
を実行させる。
【発明の効果】
【００１５】
本発明によれば、表示装置の向きに合わせて表示画像の向きを変更する機能（自動回転機能）の設定と解除を極めて容易に行うことが可能となる。
【図面の簡単な説明】
【００１６】
【図１】図１は、ユーザが携帯端末を座った状態で利用している状況を示す図である。
【図２】図２は、表示画像を携帯端末の表示装置の全画面に表示させた状態を示す図である。
【図３】図３は、ユーザが携帯端末を横になった状態で利用している状況を示す図である。
【図４】図４は、表示画像を携帯端末の表示装置の全画面に表示させない状態を示す図である。
【図５】図５は、本発明の実施の形態における画像表示制御装置を内蔵する携帯端末の概略構成を示すブロック図である。
【図６】図６は、本発明の実施の形態における画像表示制御装置の概略構成を示すブロック図である。
【図７】図７は、本発明の実施の形態における画像表示制御装置１０の動作を示すフロー図である。
【図８】図８は、本発明の実施の形態における画像表示制御装置を実現するコンピュータの一例を示すブロック図である。
【発明を実施するための形態】
【００１７】
（実施の形態）
以下、本発明の実施の形態における、画像表示制御装置、画像表示制御方法、及びプログラムについて、図１〜図８を参照しながら説明する。
【００１８】
［装置構成］
最初に、本発明の実施の形態における画像表示制御装置を内蔵する携帯端末および本実施の形態における画像表示制御装置の概略構成について図５および図６を用いて説明する。図５は、本発明の実施の形態における画像表示制御装置を内蔵する携帯端末の概略構成を示すブロック図である。また、図６は、本発明の実施の形態における画像表示制御装置の概略構成を示すブロック図である。以下、主としてユーザが動画の再生をする場合を例に取って説明する。
【００１９】
図５に示すように、本発明の実施の形態における画像表示制御装置１０を内蔵する携帯端末５０は、スマートフォン、携帯電話、タブレット端末などであり、表示装置５１、記憶部５２、通信部５３、撮影部５４、センサ部５５、オーディオ部５６、操作部５７を備える。表示装置５１は、液晶ディスプレイ、有機ＥＬディスプレイなどである。記憶部５２は、ＲＡＭなどの主記憶部およびハードディスクなどの補助記憶部を含む。通信部５３は、通信ネットワークを介して他の装置とのデータの通信を行う。撮影部５４は、動画または静止画などを撮影する。センサ部５５は、ジャイロなどの姿勢検出センサである。オーディオ部５６は、音声その他の音の出力をする。操作部５７は、ユーザの指などの接触を感知するタッチパネルである。操作部５７を構成するタッチパネルは、表示装置５１を構成するディスプレイと一体で構成されている。
【００２０】
図６に示すように、本実施の形態における画像表示制御装置１０は、携帯端末５０の表示装置５１に表示される表示画像の向きを制御する装置であって、接触情報取得部１１、比較部１２、及び制御部１３を備える。
【００２１】
接触情報取得部１１は、ユーザが表示画像の閲覧を開始するために表示装置５１に接触した時間ｔを含む接触情報を取得する。実際には、ユーザの指などが表示装置５１と一体で構成される操作部５７に接触したことを検知し、その接触情報を記憶部５２に送信する。接触情報とは、ユーザによる表示装置５１の接触の経時変化に関する情報であり、接触時間ｔを得ることができる。また、所定の時間内に接触した回数（接触回数）ｎを得ることもできる。
【００２２】
比較部１２は、接触時間ｔと、予め設定した所定時間Ｔとを比較する。また、比較部１２は、接触回数ｎと、予め設定した所定回数Ｎとを比較する。この所定時間、所定回数は、一定値でもよいし、ユーザにより変更可能となっていてもよい。
【００２３】
制御部１３は、比較部１２による比較の結果に基づいて表示装置５１内に表示される表示画像の向きを制御する。具体的には、自動回転機能の設定と解除を行う。また、表示装置５１内に表示される表示画像の向きを所定方向に固定する。例えば、ユーザが動画などの再生を行うに際して、表示装置５１に表示された再生ボタンを触るとき、その接触時間ｔが所定時間Ｔより長い場合には、表示装置５１内に表示される表示画像の向きを所定方向に固定する。これによって、ユーザがどのような姿勢で携帯端末を持っていたとしても、表示画像を全画面に表示することができる。
【００２４】
例えば、所定時間Ｔを２秒に設定した場合には、ユーザが動画の再生ボタンに１秒接触したとき、動画の再生は行われるが、自動回転機能の解除は行わない。その結果、動画の上下方向は、ユーザが携帯端末Ｔを持った状態で横になっている場合には、ユーザＵにとっての上下方向は水平方向であるのに対して、携帯端末Ｔの表示装置の上下方向は鉛直方向であり、自動回転機能を設定したまま、表示装置に動画などを再生させ、視聴したいときには、撮像を表示装置の全画面に表示することができなくなる（図４参照）。これに対して、動画の再生ボタンに３秒接触した場合には、表示装置５１内に表示される表示画像の向きを所定方向に固定する。すなわち、自動回転機能を解除する。このとき、予め設定された動画の上下方向が、表示装置５１の上下方向と一致するように固定することにより、全画面表示をすることができる（図２参照）。
【００２５】
制御部１３は、比較部１２による、接触回数ｎと、予め設定した所定回数Ｎとの比較結果に基づいて表示装置５１内に表示される表示画像の向きを制御してもよい。例えば、所定回数を２回に設定した場合には、ユーザの動画再生のための接触から一定の時間（例えば２秒）の間に、２回以上の接触があった場合には、表示装置５１内に表示される表示画像の向きを所定方向に固定する。すなわち、自動回転機能を解除する。このとき、予め設定された動画の上下方向が、表示装置５１の上下方向と一致するように固定することにより、全画面表示をすることができる。一方、ユーザの動画再生のための接触から一定時間（例えば２秒）の間の接触回数が１回の場合、動画の再生ボタンに１秒程度接触しただけでは、動画の再生は行われるが、自動回転機能の解除は行わない。
【００２６】
制御部１３は、ユーザが予め接触回数ｎに応じた表示画像の向きに関するルールに従って、接触回数ｎによって表示装置５１内に表示される表示画像の向きを変更してもよい。また、制御部１３は、常時、自動回転機能を解除しているユーザに対しては、比較部１２による比較の結果に基づいて、表示装置５１の向きに合わせて表示画像の向きを変更する機能を動作させ、表示装置５１内に表示される表示画像の向きが、表示装置５１の傾きに応じて回転するようにしてもよい。
【００２７】
制御部１３は、予め設定された所定時間Ｔが限りなく短い場合には、動画の再生時は、常に全画面表示になるようにすることとしてもよい。制御部１３は、動画の再生が終了すると同時に表示画像の向きの固定を解除するようにしてもよい。また、再生中に、ユーザによる所定時間の表示装置５１の接触があった場合に、表示画像の向きの固定を解除してもよい。制御部１３は、表示装置５１内に表示される表示画像の向きを所定方向に固定するに際して、一定の方向に固定することとしてもよいし、予めユーザが設定した向き（例えば、携帯端末の左側面を上として右側面を下とする、携帯端末の右側面を上として左側面を下とするなど）に固定することとしてもよい。
【００２８】
［装置動作］
次に、本発明の実施の形態における画像表示制御装置１０の動作について図７を用いて説明する。図７は、本発明の実施の形態における画像表示制御装置１０の動作を示すフロー図である。以下の説明においては、適宜図１〜図６を参酌する。また、本実施の形態では、画像表示制御装置１０を動作させることによって、画像表示制御方法が実施される。よって、本実施の形態における画像表示制御方法の説明は、以下の画像表示制御装置１０の動作説明に代える。
【００２９】
図７に示すように、接触情報取得部１１は、ユーザが表示画像の閲覧を開始するために表示装置５１に接触した時間ｔを含む接触情報を取得する（ステップＳ１）。実際には、ユーザの指などが表示装置５１と一体で構成される操作部５７に接触したことを検知し、その接触情報を記憶部５２に送信する。接触情報とは、ユーザによる表示装置５１の接触の経時変化に関する情報であり、接触時間ｔを得ることができる。接触情報取得部１１は、所定の時間内に接触した回数（接触回数）ｎを含む接触情報を取得してもよい。
【００３０】
次に、比較部１２は、接触時間ｔと、予め設定した所定時間Ｔとを比較する（ステップＳ２）。また、更に、比較部１２は、接触回数ｎと、予め設定した所定回数Ｎとを比較してもよい（ステップＳ２’）。この所定時間、所定回数は、一定値でもよいし、ユーザにより変更可能となっていてもよい。
【００３１】
次に、制御部１３は、比較部１２による比較の結果に基づいて表示装置５１内に表示される表示画像の向きを制御する（ステップＳ３）。具体的には、自動回転機能の設定と解除を行う。また、表示装置５１内に表示される表示画像の向きを所定方向に固定する。例えば、ユーザが動画などの再生を行うに際して、表示装置５１に表示された再生ボタンを触るとき、その接触時間ｔが所定時間Ｔより長い場合には、表示装置５１内に表示される表示画像の向きを所定方向に固定する。これによって、ユーザがどのような姿勢で携帯端末を持っていたとしても、表示画像を全画面に表示することができる。
【００３２】
制御部１３は、更に、比較部１２による、接触回数ｎと、予め設定した所定回数Ｎとの比較結果に基づいて表示装置５１内に表示される表示画像の向きを制御してもよい。例えば、所定回数を２回に設定した場合には、ユーザの動画再生のための接触から一定の時間（例えば２秒）の間に、２回以上の接触があった場合には、表示装置５１内に表示される表示画像の向きを所定方向に固定する。すなわち、自動回転機能を解除する。このとき、予め設定された動画の上下方向が、表示装置５１の上下方向と一致するように固定することにより、全画面表示をすることができる。一方、ユーザの動画再生のための接触から一定時間（例えば２秒）の間の接触回数が１回の場合、動画の再生ボタンに１秒程度接触しただけでは、動画の再生は行われるが、自動回転機能の解除は行わない。
【００３３】
［実施の形態の効果］
本発明の実施の形態における画像表示制御装置１０によれば、表示装置の向きに合わせて表示画像の向きを変更する機能（自動回転機能）の設定と解除を極めて容易に行うことが可能となる。
［プログラム］
本発明の実施の形態におけるプログラムは、コンピュータに、図７に示すステップＳ１〜Ｓ３を実行させるプログラムであれば良い。このプログラムをコンピュータにインストールし、実行することによって、本実施の形態における画像表示制御装置と画像表示制御方法とを実現することができる。この場合、コンピュータのＣＰＵ（Central Processing Unit）は、接触情報取得部１１、比較部１２、及び制御部１３として機能し、処理を行なう。
【００３４】
また、本実施の形態におけるプログラムは、複数のコンピュータによって構築されたコンピュータシステムによって実行されても良い。この場合は、例えば、各コンピュータが、それぞれ、接触情報取得部１１、比較部１２、及び制御部１３のいずれかとして機能しても良い。
【００３５】
ここで、実施の形態におけるプログラムを実行することによって、画像表示制御装置１０を実現するコンピュータについて図８を用いて説明する。図８は、本発明の実施の形態における画像表示制御装置１０を実現するコンピュータの一例を示すブロック図である。
【００３６】
図８に示すように、コンピュータ１１０は、ＣＰＵ１１１と、メインメモリ１１２と、記憶装置１１３と、入力インターフェイス１１４と、表示コントローラ１１５と、データリーダ／ライタ１１６と、通信インターフェイス１１７とを備える。これらの各部は、バス１２１を介して、互いにデータ通信可能に接続される。
【００３７】
ＣＰＵ１１１は、記憶装置１１３に格納された、本実施の形態におけるプログラム（コード）をメインメモリ１１２に展開し、これらを所定順序で実行することにより、各種の演算を実施する。メインメモリ１１２は、典型的には、ＤＲＡＭ（Dynamic Random Access Memory）等の揮発性の記憶装置である。また、本実施の形態におけるプログラムは、コンピュータ読み取り可能な記録媒体１２０に格納された状態で提供される。なお、本実施の形態におけるプログラムは、通信インターフェイス１１７を介して接続されたインターネット上で流通するものであっても良い。
【００３８】
また、記憶装置１１３の具体例としては、ハードディスクドライブの他、フラッシュメモリ等の半導体記憶装置が挙げられる。入力インターフェイス１１４は、ＣＰＵ１１１と、キーボード及びマウスといった入力機器１１８との間のデータ伝送を仲介する。表示コントローラ１１５は、ディスプレイ装置１１９と接続され、ディスプレイ装置１１９での表示を制御する。
【００３９】
データリーダ／ライタ１１６は、ＣＰＵ１１１と記録媒体１２０との間のデータ伝送を仲介し、記録媒体１２０からのプログラムの読み出し、及びコンピュータ１１０における処理結果の記録媒体１２０への書き込みを実行する。通信インターフェイス１１７は、ＣＰＵ１１１と、他のコンピュータとの間のデータ伝送を仲介する。
【００４０】
また、記録媒体１２０の具体例としては、ＣＦ（Compact Flash（登録商標））及びＳＤ（Secure Digital）等の汎用的な半導体記憶デバイス、フレキシブルディスク（Flexible Disk）等の磁気記録媒体、又はＣＤ−ＲＯＭ（Compact Disk Read Only Memory）などの光学記録媒体が挙げられる。
【００４１】
なお、本実施の形態における画像表示制御装置１０は、プログラムがインストールされたコンピュータではなく、各部に対応したハードウェアを用いることによっても実現可能である。更に、画像表示制御装置１０は、一部がプログラムで実現され、残りの部分がハードウェアで実現されていてもよい。
【符号の説明】
【００４２】
１０  本実施の形態における画像表示制御装置
１１  接触情報取得部
１２  比較部
１３  制御部
５０  携帯端末
５１  表示装置
５２  記憶部
５３  通信部
５４  撮影部
５５  センサ部
５６  オーディオ部
５７  操作部
１１０  コンピュータ
１１１  ＣＰＵ
１１２  メインメモリ
１１３  記憶装置
１１４  入力インターフェイス
１１５  表示コントローラ
１１６  データリーダ／ライタ
１１７  通信インターフェイス
１１８  入力機器
１１９  ディスプレイ装置
１２０  記録媒体
１２１  バス
【図１】
2018160081.tif 000003
【図２】
2018160081.tif 000004
【図３】
2018160081.tif 000005
【図４】
2018160081.tif 000006
【図５】
2018160081.tif 000007
【図６】
2018160081.tif 000008
【図７】
2018160081.tif 000009
【図８】
2018160081.tif 000010